(57)【特許請求の範囲】
【請求項１】
表示部と、
ネットワークを介して通信するネットワーク通信部と、
前記ネットワーク通信部が前記ネットワークを介して外部装置から受信した所定の指示に基づいて画像処理を行う画像処理部と、
自装置から所定の範囲内にいるユーザを検出するユーザ検出部と、
前記ネットワークに接続されている画像処理装置を検索するために送信された所定の検索要求を前記ネットワーク通信部が受信した際に、前記ユーザ検出部がユーザを検出している場合は、自装置の識別情報を前記表示部に表示させる制御部と、
を有し、
前記制御部は、受信した前記検索要求に、当該画像処理装置に依頼する画像処理で使用予定の機能を示す機能情報が含まれている場合に、前記機能情報の示す機能を自装置の前記画像処理部が実行可能か否かを判断し、実行不可の場合は、前記表示部に前記識別情報を表示させない
ことを特徴とする画像処理装置。
【請求項２】
前記制御部は、前記ネットワーク通信部が前記検索要求を受信した場合に、前記ネットワーク通信部に、前記識別情報を含む所定の検索応答を、前記検索要求の送信元に対して送信させる
ことを特徴とする請求項１記載の画像処理装置。
【請求項３】
前記制御部は、前記検索応答に前記ユーザ検出部の検出結果を含めておき、前記検索要求の送信元の装置に、前記検索応答に含まれる前記識別情報を前記検索応答に含まれる前記検出結果に応じた表示形態で表示させる
ことを特徴とする請求項２に記載の画像処理装置。
【請求項４】
前記特徴は、携帯端末を所持している
ことである
ことを特徴とする請求項１乃至３のいずれか１つに記載の画像処理装置。
【請求項５】
前記特徴は、ユーザが自装置の方を向いている
ことである
ことを特徴とする請求項１乃至３のいずれか１つに記載の画像処理装置。
【請求項６】
前記ユーザ検出部は、前記検索要求の送信元の装置との間の電波強度に基づいて、前記所定の範囲内にユーザが居るか否かを判断する
ことを特徴とする請求項１乃至５のいずれか１つに記載の画像処理装置。
【請求項７】
表示部と、ネットワークを介して通信するネットワーク通信部とを有する情報処理装置を、
前記ネットワークを介して外部装置から受信した所定の指示に基づいて画像処理を行う画像処理部、
自装置から所定の範囲内にいるユーザを検出するユーザ検出部、
前記ネットワークに接続されている１または複数の画像処理装置を検索するために送信された所定の検索要求を前記ネットワーク通信部が受信した際に、前記ユーザ検出部がユーザを検出している場合は、自装置の識別情報を前記表示部に表示させると共に、受信した前記検索要求に、当該情報処理装置に依頼する画像処理で使用予定の機能を示す機能情報が含まれている場合は、前記機能情報の示す機能を自装置の前記画像処理部が実行可能か否かを判断し、実行不可の場合は、前記ユーザ検出部がユーザを検出している場合であっても前記表示部に前記識別情報を表示させない検索応答制御部、
として機能させる
ことを特徴とするプログラム。
【請求項８】
表示部と、
ネットワークを介して通信するネットワーク通信部と、
前記ネットワーク通信部が受信した所定の指示に基づいて画像処理を行う画像処理部と、
自装置から所定の範囲内にいるユーザを検出するユーザ検出部とを備える複数の画像処理装置に接続可能な情報処理装置に、
外部装置から送信された、前記ネットワークに接続されている画像処理装置を検索するために送信された所定の検索要求を受信し、
前記検索要求を受信した場合に、前記複数の画像処理装置のそれぞれに、当該画像処理装置と前記外部装置との通信を確立する操作のために使用される該画像処理装置の識別情報を、該画像処理装置の前記ユーザ検出部がユーザを検出していることを条件に前記画像処理装置の前記表示部に表示させる制御を行うと共に、受信した前記検索要求に、前記画像処理装置に依頼する画像処理で使用予定の機能を示す機能情報が含まれている場合は、前記複数の画像処理装置のそれぞれに、当該画像処理装置が前記機能情報の示す機能を実行できなければ前記識別情報の表示を禁止させる制御を行う
ことを特徴とするプログラム。
【請求項９】
前記検索要求を受信した場合に、前記識別情報を含む所定の検索応答を前記画像処理装置から受信し、受信した当該識別情報を、前記検索要求を送信した前記外部装置に対して送信する制御を更に実行させる
ことを特徴とする請求項８に記載のプログラム。
【請求項１０】
前記検索応答に前記ユーザ検出部の検出結果を含ませ、前記検索要求の送信元へ、前記検索応答に含まれる前記識別情報を前記検索応答に含まれる前記検出結果に応じた表示形態で表示させる制御を更に実行させる
ことを特徴とする請求項９に記載のプログラム。
【請求項１１】
前記特徴は、携帯端末を所持している
ことである
ことを特徴とする請求項８乃至１０のいずれか１つに記載のプログラム。
【請求項１２】
前記特徴は、ユーザが自装置の方を向いている
ことである
ことを特徴とする請求項８乃至１０のいずれか１つに記載のプログラム。
【請求項１３】
前記ユーザ検出部は、前記検索要求の送信元の装置との間の電波強度に基づいて、前記所定の範囲内にユーザが居るか否かを判断する
ことを特徴とする請求項８乃至１２のいずれか１つに記載のプログラム。
【発明の詳細な説明】
【技術分野】
【０００１】
本発明は、携帯端末と通信を確立する画像処理装置およびそのプログラム、携帯端末と画像処理装置間での通信確立を補助する情報処理装置のプログラムに関する。
【背景技術】
【０００２】
近年、プリンタやスキャナ、ファクシミリ等の機能を備える画像形成装置などの複合機（ＭＦＰ（Multi Function Peripheral））は、ユーザの操作によってスマートフォンやタブレットなどの携帯端末から送信された印刷指示に従って印刷を行うことが可能となっている。
【０００３】
一般に携帯端末からＭＦＰに印刷指示を送信する場合、まず、携帯端末にて周囲の通信可能なＭＦＰを検索し、その検索結果として通信可能なＭＦＰの名前やＩＰ（Internet Protocol）アドレスなどのリストが携帯端末に表示される。ユーザは、その検索結果として表示された１または複数のＭＦＰのリストの中から、印刷指示の送信先となるＭＦＰを選択する。オフィスなど、複数台のＭＦＰを設置している場所では、前述した検索結果のリストに、複数のＭＦＰ（名前やＩＰアドレス）が表示される。
【０００４】
しかし、ユーザが前述の検索結果のリストからＭＦＰを選択する際に、所望するＭＦＰの名前が分からない場合がある。このような場合、ユーザは、設置されているＭＦＰと携帯端末に表示されているＭＦＰ名の対応付けができず、検索結果のリストからいずれのＭＦＰを選択すればよいかわからなくなる。
【０００５】
特許文献１には、ユーザがＭＦＰにて所定のボタン押下を行うと、一定時間ＭＦＰの名前を所定の名前に変更する方法が開示されている。これによれば、携帯端末が周囲の通信可能なＭＦＰを検索した場合に、検索結果として、所定のボタン押下を行ったＭＦＰについては変更後の名前（所定の名前）が表示されるので、たとえば、所定の名前を、ユーザが判別可能な名前に設定しておけば、ユーザは、検索結果のリストの中から、所定のボタン押下を行ったＭＦＰの名前を容易に見つけ出すことができる。
【先行技術文献】
【特許文献】
【０００６】
【特許文献１】特開２０１４−３２６２６号公報
【発明の概要】
【発明が解決しようとする課題】
【０００７】
しかし、特許文献１に記載の方法では、名前を一時的に変更する上記の機能を利用するためには、ユーザが所望のＭＦＰにおいて所定のボタンを押下する操作を行う必要があるので、操作が面倒である。また、ユーザが所望のＭＦＰに対して上記の操作を行うことができなければ、該ＭＦＰの名前を一時的に変更する機能を利用できない。たとえば、ユーザがＭＦＰの操作方法を把握していない場合や、ＭＦＰがパスワードの入力を受けた後でなければ操作を受け付けない仕様であって、ユーザが該パスワードを知らない場合などは、ユーザは名前を一時的に変更する機能を利用して所望のＭＦＰを携帯端末から選択することはできない。これらの問題は、ＭＦＰに限らず、プリンタなど画像形成部を備える画像形成装置全般に共通するものである。
【０００８】
本発明は、上記の問題を解決しようとするものであり、ネットワークに接続されている画像処理装置を検索するために送信された検索要求を受信した場合に、ユーザに特別な操作を強いることなく、ユーザが周囲にある実物の装置と識別情報の対応付けを行うことができる画像処理装置およびそのプログラム、情報処理装置のプログラムを提供することを目的としている。
【課題を解決するための手段】
【０００９】
かかる目的を達成するための本発明の要旨とするところは、次の各項の発明に存する。
【００１０】
［１］表示部と、
ネットワークを介して通信するネットワーク通信部と、
前記ネットワーク通信部が前記ネットワークを介して外部装置から受信した所定の指示に基づいて画像処理を行う画像処理部と、
自装置から所定の範囲内にいるユーザを検出するユーザ検出部と、
前記ネットワークに接続されている画像処理装置を検索するために送信された所定の検索要求を前記ネットワーク通信部が受信した際に、前記ユーザ検出部がユーザを検出している場合は、自装置の識別情報を前記表示部に表示させる制御部と、
を有し、
前記制御部は、受信した前記検索要求に、当該画像処理装置に依頼する画像処理で使用予定の機能を示す機能情報が含まれている場合に、前記機能情報の示す機能を自装置の前記画像処理部が実行可能か否かを判断し、実行不可の場合は、前記表示部に前記識別情報を表示させない
ことを特徴とする画像処理装置。
【００１１】
上記［１］および下記［７］、下記［８］に係る発明では、画像処理装置が、ネットワークに接続されている画像処理装置を検索するために送信された所定の検索要求を受けた際に、自装置から所定の範囲内にユーザを検出した場合は、自装置の識別情報を表示部に表示する。通常、ユーザは、使いたい画像処理装置の前に行って検索要求を送信するので、該ユーザは、自分の前の画像処理装置の表示部に表示された識別情報を利用して、その画像処理装置と自己の端末装置との間の通信を確立することができる。
【００１２】
たとえば、識別情報として画像処理装置が表示部に自装置のＩＰアドレスを表示すれば、ユーザはこれを参照して、自己の端末装置に手入力で通信先を設定して該画像処理装置と通信を確立することができる。
【００１３】
ユーザは、使いたい画像形成装置の近くから検索要求を送信するので、自装置付近にユーザを検出した画像形成装置のみ識別情報を表示すれば足りる。また、自装置付近にユーザを検出した画像形成装置のみ識別情報を表示することで、他の画像処理装置は無駄に識別情報の表示を行わないので、システム全体として消費電力を抑えることができる。
また画像処理装置は、受信した検索要求に、外部装置が画像処理装置に依頼する画像処理で使用予定の機能を示す機能情報が含まれている場合に、その機能情報の示す機能を自装置の画像処理部が実行可能か否かを判断し、実行不可の場合は、表示部に識別情報を表示させない。外部装置が依頼する画像処理で使用する機能が実行不可能な場合、自装置と通信を確立する可能性が低いので、識別情報の表示を行わない。これにより、無駄な電力消費を防止することができる。
【００１４】
［２］前記制御部は、前記ネットワーク通信部が前記検索要求を受信した場合に、前記ネットワーク通信部に、前記識別情報を含む所定の検索応答を、前記検索要求の送信元に対して送信させる
ことを特徴とする［１］に記載の画像処理装置。
【００１５】
上記［２］および下記［９］に係る発明では、検索要求の送信元に対して検索応答が返答される。これにより、外部装置にて、ネットワークに接続されている画像処理装置の識別情報を取得することができる。たとえば、外部装置にて検索応答を返答した画像形成装置の識別情報をリストで表示し、該リストからユーザが選択した識別情報の画像処理装置と通信を確立する、といった手段で通信を確立する場合に、ユーザはその外部装置で表示した識別情報と、実物の画像処理装置に表示された識別情報を対比することで、実物の画像処理装置とリスト上の識別情報の対応関係を把握することができる。
【００１６】
［３］前記制御部は、前記検索応答に前記ユーザ検出部の検出結果を含めておき、前記検索要求の送信元の装置に、前記検索応答に含まれる前記識別情報を前記検索応答に含まれる前記検出結果に応じた表示形態で表示させる
ことを特徴とする［２］に記載の画像処理装置。
【００１７】
上記［３］および下記［１０］に係る発明では、画像処理装置が、ユーザ検出の結果を検索応答に含ませておき、該検索応答に含まれる識別情報を該検出結果に応じた表示形態で外部装置に表示させる。これにより、外部装置にて、ユーザを検出した画像処理装置の識別情報と、ユーザを検出しなかった画像処理装置の識別情報は、異なる表示形態で表示されるので、ユーザが両者を容易に区別することができる。たとえば、ユーザは、識別情報が表示されたリストの中から、より容易に所望する装置を選択することができる。
【００２０】
［４］前記特徴は、携帯端末を所持している
ことである
ことを特徴とする［１］乃至［３］のいずれか１つに記載の画像処理装置。
【００２１】
上記［４］および下記［１１］に係る発明では、画像処理装置は、携帯端末を所持しているユーザを検出する。外部装置が携帯端末である場合、該携帯端末にて検索要求を送信させた後、その携帯端末を所持したまま自装置の付近に来る可能性が高いので、携帯端末を持つユーザを検出した場合に、識別情報の表示を行う。携帯端末を持たずに自装置付近に来たユーザは、該携帯端末（外部装置）と自装置にて通信を確立する可能性が低いので、検出したユーザが携帯端末を所持していない場合は識別情報の表示を行わない。これにより、無駄な電力消費を防止することができる。
【００２２】
［５］前記特徴は、ユーザが自装置の方を向いている
ことである
ことを特徴とする［１］乃至［３］のいずれか１つに記載の画像処理装置。
【００２３】
上記［５］および下記［１２］に係る発明では、自装置の方を向いているユーザを検出する。自装置の方を向いているユーザは、自装置を使用する可能性が高いので、識別情報の表示を行う。自装置の方を向いていないユーザは、自装置の付近を偶然通りがかった可能性が高いので、識別情報を表示する必要はない。これにより、無駄な電力消費を防止することができる。
【００２４】
［６］前記ユーザ検出部は、前記検索要求の送信元の装置との間の電波強度に基づいて、前記所定の範囲内にユーザが居るか否かを判断する
ことを特徴とする［１］乃至［５］のいずれか１つに記載の画像処理装置。
【００２５】
上記［６］および下記［１３］に係る発明では、検索要求の送信元の装置との間の電波強度に基づいて、自装置から所定の範囲内にユーザが居るか否かを判断する。たとえば、画像処理装置が所定の電波を所定の強さでブロードキャストし、その所定の電波を受けた外部装置が該電波の受信強度を示す情報を画像処理装置に返信し、これを受けた画像処理装置が該情報に基づいて自装置と外部装置間との間の電波強度を把握する。
【００２６】
電波強度を示す値が低い場合、画像処理装置と外部装置の間の距離が一定以上であることが推定される。画像処理装置と外部装置が一定以上離れている場合、該外部装置にて検索要求の送信を指示したユーザが、該外部装置から自装置まで移動してくる可能性が低いので、識別情報の表示を行わない。これにより、無駄な電力消費を防止することができる。
【００２９】
［７］表示部と、ネットワークを介して通信するネットワーク通信部とを有する情報処理装置を、
前記ネットワークを介して外部装置から受信した所定の指示に基づいて画像処理を行う画像処理部、
自装置から所定の範囲内にいるユーザを検出するユーザ検出部、
前記ネットワークに接続されている１または複数の画像処理装置を検索するために送信された所定の検索要求を前記ネットワーク通信部が受信した際に、前記ユーザ検出部がユーザを検出している場合は、自装置の識別情報を前記表示部に表示させると共に、受信した前記検索要求に、当該情報処理装置に依頼する画像処理で使用予定の機能を示す機能情報が含まれている場合は、前記機能情報の示す機能を自装置の前記画像処理部が実行可能か否かを判断し、実行不可の場合は、前記ユーザ検出部がユーザを検出している場合であっても前記表示部に前記識別情報を表示させない検索応答制御部、
として機能させる
ことを特徴とするプログラム。
【００３０】
［８］表示部と、
ネットワークを介して通信するネットワーク通信部と、
前記ネットワーク通信部が受信した所定の指示に基づいて画像処理を行う画像処理部と、
自装置から所定の範囲内にいるユーザを検出するユーザ検出部とを備える複数の画像処理装置に接続可能な情報処理装置に、
外部装置から送信された、前記ネットワークに接続されている画像処理装置を検索するために送信された所定の検索要求を受信し、
前記検索要求を受信した場合に、前記複数の画像処理装置のそれぞれに、当該画像処理装置と前記外部装置との通信を確立する操作のために使用される該画像処理装置の識別情報を、該画像処理装置の前記ユーザ検出部がユーザを検出していることを条件に前記画像処理装置の前記表示部に表示させる制御を行うと共に、受信した前記検索要求に、前記画像処理装置に依頼する画像処理で使用予定の機能を示す機能情報が含まれている場合は、前記複数の画像処理装置のそれぞれに、当該画像処理装置が前記機能情報の示す機能を実行できなければ前記識別情報の表示を禁止させる制御を行う
ことを特徴とするプログラム。
【００３１】
［９］前記検索要求を受信した場合に、前記識別情報を含む所定の検索応答を前記画像処理装置から受信し、受信した当該識別情報を、前記検索要求を送信した前記外部装置に対して送信する制御を更に実行させる
ことを特徴とする［８］に記載のプログラム。
【００３２】
［１０］前記検索応答に前記ユーザ検出部の検出結果を含ませ、前記検索要求の送信元へ、前記検索応答に含まれる前記識別情報を前記検索応答に含まれる前記検出結果に応じた表示形態で表示させる制御を更に実行させる
ことを特徴とする［９］に記載のプログラム。
【００３４】
［１１］前記特徴は、携帯端末を所持している
ことである
ことを特徴とする［８］乃至［１０］のいずれか１つに記載のプログラム。
【００３５】
［１２］前記特徴は、ユーザが自装置の方を向いている
ことである
ことを特徴とする［８］乃至［１０］のいずれか１つに記載のプログラム。
【００３６】
［１３］前記ユーザ検出部は、前記検索要求の送信元の装置との間の電波強度に基づいて、前記所定の範囲内にユーザが居るか否かを判断する
ことを特徴とする［８］乃至［１２］のいずれか１つに記載のプログラム。
【発明の効果】
【００３８】
本発明に係る画像処理装置およびそのプログラム、情報処理装置のプログラムによれば、ネットワークに接続されている画像処理装置を検索するために送信された検索要求を受信した場合に、ユーザに特別な操作を強いることなく、ユーザが周囲にある実物の装置と識別情報の対応付けを行うことができる。
【図面の簡単な説明】
【００３９】
【図１】本発明の実施の形態に係る印刷システムを示す説明図である。
【図２】本発明の実施の形態に係る画像形成装置の概略構成を示すブロック図である。
【図３】本発明の実施の形態にて画像形成装置が使用する機能を示すブロック図である。
【図４】本発明の実施の形態に係る携帯端末の概略構成を示すブロック図である。
【図５】本発明の実施の形態において印刷システムが動作する様子を示す図である。
【図６】３台の画像形成装置が配置される場合の配置例と、各画像形成装置がユーザを検出する範囲の例を示す図である。
【図７】検索要求を受けた場合に、各画像形成装置が表示する表示内容を示す図である。
【図８】検索応答を受けた場合に、携帯端末が表示する画面の例を示す図である。
【図９】画像形成装置において識別情報が表示される場合の具体例を示す図である。
【図１０】変形例において検索要求を受けた画像形成装置が表示する表示内容を示す図である。
【図１１】変形例において検索応答を受けた場合に、携帯端末が表示する画面の例を示す図である。
【図１２】画像形成装置が行う処理を示す流れ図である。
【図１３】自装置が所望装置か否かを判断する処理を示す流れ図である。
【図１４】本発明のプログラムが動作を制御するサーバを含んで構成される印刷システムを示す図である。
【発明を実施するための形態】
【００４０】
以下、図面に基づき本発明の実施の形態を説明する。
【００４１】
図１は、本発明の実施の形態に係る印刷システム７を示す。印刷システム７は、ＬＡＮ（Local Area Network）３などのネットワークを通じて、本発明の画像処理装置としての役割を果たす複数台の画像形成装置１０（１０Ａ、１０Ｂ、１０Ｃ）と、携帯端末４０とを通信可能に接続して構成される。以後、画像形成装置１０Ａ、１０Ｂ、１０Ｃを総称する、もしくは任意の１台を指す場合は、画像形成装置１０と記すものとする。
【００４２】
携帯端末４０は、持ち歩きが可能なタブレットなどの端末であり、表示部５１と操作部５２を含む操作表示部５０を備えている（図４参照）。携帯端末４０は、無線通信によってネットワークであるＬＡＮ３に接続する。図１では、携帯端末４０は、アクセスポイント９０を介してＬＡＮ３に接続している。また、本発明の実施の形態では１台の携帯端末４０を使用する場合を例に説明するが、携帯端末４０は複数台あってもよい。
【００４３】
画像形成装置１０は、原稿を光学的に読み取ってその複製画像を記録紙に印刷するコピージョブ、読み取った原稿の画像データをファイルにして保存したり外部装置へ送信したりするスキャンジョブ、ＰＣから送出されたデータに係る画像を記録紙に印刷して出力するプリントジョブなどのジョブを実行する機能を備えた、所謂、複合機である。画像形成装置１０には、表示部３１と操作部３２（図２参照）を含み装置本体の操作を行う操作パネル３０が設置されており、たとえば、自装置の機器情報や設定操作を行うための画面を表示したり、ユーザからの設定操作を受けたりする。
【００４４】
印刷システム７では、携帯端末４０がＬＡＮ３を通じて通信を確立した画像形成装置１０に印刷ジョブやスキャンジョブなどのジョブを送信し、これを受けた画像形成装置１０は該ジョブを実行する。
【００４５】
次に、本発明の実施の形態に係る画像形成装置１０の構成について説明する。
【００４６】
図２は、本発明の実施の形態に係る画像形成装置１０の概略構成を示すブロック図である。画像形成装置１０は、当該画像形成装置１０の動作を統括的に制御するＣＰＵ(Central Processing Unit)１１と、ＲＯＭ(Read Only Memory)１２と、ＲＡＭ(Random Access Memory)１３と、不揮発メモリ１４と、ＤＫＣ（ディスク制御装置）１５と、外部記憶装置２３と、画像処理部１６と、読取インターフェース１７と、スキャナ２４と、印刷インターフェース１８と、プリントエンジン２２と、無線ＬＡＮコントローラ１９と、ＬＡＮコントローラ２０と、ユーザ検出部２１と、操作パネル３０とを備えている。
【００４７】
ＣＰＵ１１は、ＯＳ（Operating System）プログラムをベースとし、その上で、ミドルウェアやアプリケーションプログラムなどを実行する。また、ＣＰＵ１１は、操作パネル３０の表示内容を制御する制御部としての機能を果たす。
【００４８】
ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００４９】
ＲＡＭ１３は、ＣＰＵ１１がプログラムに基づいて処理を実行する際に各種のデータを一時的に格納するワークメモリや画像データを格納する画像メモリなどとして使用される。
【００５０】
不揮発メモリ１４は、電源をオフにしても記憶内容が破壊されないメモリ（フラッシュメモリ）であり、各種設定情報の保存などに使用される。
【００５１】
ＤＫＣ１５には、ハードディスク装置などの外部記憶装置２３が接続されており、外部記憶装置２３へのデータの読み書きを制御する。外部記憶装置２３は、大容量の不揮発の記憶装置であり、本発明の実施の形態では、ＯＳプログラムや各種アプリケーションプログラム、印刷データや画像データ、ジョブに係る情報履歴などが保存される。実施の形態では外部記憶装置２３は、画像形成装置１０に内包される１台のみとするが、さらに外付けのものがあってもよい。
【００５２】
画像処理部１６は、画像の拡大縮小、回転などの処理のほか、印刷データをイメージデータに変換するラスタライズ処理、画像データの圧縮、伸張処理などを行う。
【００５３】
読取インターフェース１７には、スキャナ２４が接続されており、スキャナ２４が読み取って得た画像データを取得する。スキャナ２４は、原稿を光学的に読み取って画像データを取得する機能を果たす。スキャナ２４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５４】
印刷インターフェース１８には、プリントエンジン２２が接続されており、画像形成に使用するデータをプリントエンジン２２に送信する。プリントエンジン２２は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５５】
無線ＬＡＮコントローラ１９は、無線ＬＡＮによる無線通信を行うことで、ＬＡＮ３などのネットワークを通じて携帯端末４０やその他の外部装置との間でデータを通信する機能を果たす。
【００５６】
ＬＡＮコントローラ２０は、有線による通信を行い、ＬＡＮ３などのネットワークに接続する。
【００５７】
ユーザ検出部２１は、自装置から所定の範囲内におけるユーザの有無を検出する。本発明の実施の形態では、各画像形成装置１０は、ユーザ検出部２１として操作パネル３０の上縁中央に検出用カメラを設け、この検出用カメラが撮影して得た画像を解析し、自装置の手前にいるユーザを検出する。
【００５８】
ユーザを検出する手段は前述の方法に限らず、他の方法を採用してもよい。たとえば、赤外線センサや、超音波などによってユーザの有無を判断する方法を採用してもよい。自装置から所定の電波を所定の強さでブロードキャストし、その所定の電波を受けた携帯端末４０が該電波の受信強度を示す情報を自装置に返答し、これを受けた画像形成装置１０が該情報に基づいて自装置と携帯端末４０間の電波強度を把握し、この電波強度によって、自装置から所定の範囲内におけるユーザの有無を判断するようにしてもよい。携帯端末４０から所定の信号（Wi-Fi(Wireless Fidelity)やブルートゥース（Bluetooth）など）を発信させ、その所定の信号の受信強度が所定値以上であれば、自装置から所定の範囲内にユーザがいると判断するようにしてもよい。
【００５９】
操作パネル３０は、表示部３１と、操作部３２とを備えている。このうち操作部３２は、スタートボタンなどのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行う。
【００６０】
タッチパネル部３４は、表示部３１上に設けられている。タッチパネル部３４は、タッチペンや指などで押下された表示部３１上の座標位置や、フリック操作やドラッグ操作等を検出する。
【００６１】
図３は、検索要求への応答、及び外部端末から依頼されたプリントジョブの実行に係る部分における画像形成装置１０のソフトウェア構成を示す図である。画像形成装置１０は、該ソフトウェアとして、検索要求処理部７１と、ユーザ検出制御部７２と、印刷に係る制御を行う印刷部７３、所望装置判断部７４を有する。
【００６２】
検索要求処理部７１は、携帯端末４０がＬＡＮ３に接続されている画像処理装置１０を検索するために送信した所定の検索要求を、無線ＬＡＮコントローラ１９が受信した場合に、その検索要求に対応する処理を行う。
【００６３】
ユーザ検出制御部７２は、ユーザ検出部２１が自装置から所定の範囲内においてユーザの有無を検出する処理を制御する。ユーザの有無を検出する方法は前述の方法を採用する。所望装置判断部７４は、自装置が、検索要求を送信したユーザが所望する装置か否かを判断する。詳細は後述する。
【００６４】
印刷部７３は、自装置と通信を確立した携帯端末４０から受信した印刷データに従ってプリントエンジン２２に印刷を行わせる。
【００６５】
図４は、携帯端末４０の概略構成を示すブロック図である。携帯端末４０は、当該携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、操作表示部５０とを備えている。
【００６６】
ＣＰＵ４１は、ＯＳプログラムをベースとし、その上で、ミドルウェアやアプリケーションプログラムなどを実行する。また、ＣＰＵ４１は、操作表示部５０の表示内容を制御する制御部としての機能を果たす。
【００６７】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムや、ユーザ情報が格納されている。
【００６８】
ＲＡＭ４３は、ＣＰＵ４１がプログラムに基づいて処理を実行する際に各種のデータを一時的に格納するワークメモリや画像データを格納する画像メモリなどとして使用される。
【００６９】
不揮発メモリ４４は、電源をオフにしても記憶内容が破壊されないメモリ（フラッシュメモリ）であり、各種設定情報の保存などに使用される。ハードディスク装置４５は、大容量の不揮発の記憶装置であり、ＯＳプログラムや各種アプリケーションプログラムなどが保存される。前述した連動表示モードで携帯端末４０を動作させるためのプログラム（これを、連動表示アプリとする）なども記憶される。
【００７０】
ネットワーク通信部４６は、ＬＡＮなどのネットワークを通じて画像形成装置１０やその他の外部装置との間でデータを通信する機能を果たす。本実施の形態では無線ＬＡＮによる無線通信を行うが、通信手段はこれらに限らない。
【００７１】
操作表示部５０は、表示部５１と、操作部５２とを備えている。このうち操作部５２は、スタートボタンなどのスイッチ部５３とタッチパネル部５４とを備えている。表示部５１は、液晶ディスプレイなどで構成され、各種の操作画面、設定画面などを表示する機能を果たす。
【００７２】
タッチパネル部５４は、表示部５１上に設けられている。タッチパネル部５４は、タッチペンや指などで押下された表示部５１上の座標位置や、フリック操作やドラッグ操作等を検出する。
【００７３】
本実施の形態では、画像形成装置１０と通信を確立し、印刷指示を送信するための専用のアプリケーションがハードディスク装置４５に格納されており、そのアプリケーションを使用して各画像形成装置１０に検索要求を送信する。
【００７４】
次に図５にて、印刷システム７全体での動作について説明する。携帯端末４０がジョブを送信する場合、まず、携帯端末４０と画像形成装置１０との間で通信を確立する必要がある。通信を確立する為には、携帯端末４０は通信相手となる画像形成装置１０のＩＰアドレスを指定しなければならない。そこで、携帯端末４０は、ネットワーク上（図中ではＬＡＮ３）の画像形成装置１０を検索するための検索要求をネットワーク上に送信（ブロードキャスト）し、該ネットワークに接続されている画像形成装置１０を検索する（Ｐ１）。
【００７５】
具体的には、まず、ユーザが、携帯端末４０にて画像形成装置１０と通信を確立する為の専用のアプリケーションを起動する。該アプリケーションが起動したら携帯端末４０は、自端末が接続しているネットワークを通じて、該ネットワークに接続されている画像形成装置１０を検索するための検索要求をブロードキャストする。
【００７６】
検索要求を受けたネットワーク（ＬＡＮ３）上の各画像形成装置１０は、自装置の名称（装置名）やＩＰアドレスなど自装置と通信を確立するために必要となる識別情報を含む検索応答を検索元の携帯端末４０へ送信する（Ｐ２）。また、画像形成装置１０は、検索要求を受けた際に、自装置から所定の範囲内にいるユーザの有無を検出（以後、ユーザ検出と呼ぶ）し、該ユーザ検出の結果に応じて識別情報の表示を行うか否かを切り替える（Ｐ３）。ユーザを検出した場合は識別情報を自装置の表示部３１に表示し、ユーザを検出しなかった場合は識別情報の表示を行わない（Ｐ３）。
【００７７】
各画像形成装置１０から検索応答を受信した携帯端末４０は、検索応答を送信してきた画像形成装置１０の識別情報（装置名やＩＰアドレスなど）をリストにして表示部５１に表示する（Ｐ４）。
【００７８】
ユーザは、画像形成装置１０の表示部３１に表示された識別情報と携帯端末４０の表示部５１にリスト表示された識別情報を見比べることで、表示部５１にリスト表示された識別情報と、実物の画像形成装置１０との対応関係を認識する。表示されたリストの中でどの識別情報が自分の前にある画像形成装置１０に対応するかを認識する。
【００７９】
その後、ユーザが、検索結果のリストに表示された複数の識別情報（画像形成装置１０Ａ、１０Ｂ、１０Ｃの識別情報）の中からいずれかの識別情報を選択すると、携帯端末４０は、その選択された識別情報に対応する画像形成装置１０と通信を確立して、ジョブを送信する。
【００８０】
このように、本実施の形態に係る印刷システム７では、画像形成装置１０の表示部３１に表示された識別情報と携帯端末４０の表示部５１に表示された識別情報を見比べることで、携帯端末４０の表示部５１にリスト表示された複数の識別情報の中から、所望する実物の画像形成装置１０に対応する識別情報を選択することができる。つまり、画像形成装置１０の表示部３１に表示された識別情報は、ユーザが画像形成装置１０と携帯端末４０との間の通信を確立するための操作に使用される。
【００８１】
また、検索要求を受けた際に、自装置から所定の範囲内にユーザを検出した画像形成装置１０のみ、自装置の識別情報を表示部３１に表示するので、検索要求を受けた全ての画像形成装置１０が識別情報の表示を行う場合に比べて消費電力を抑えることができる。ユーザがいずれの画像形成装置１０を使用するかを予め決めている場合、該ユーザは使用する画像形成装置１０の前に移動してから、携帯端末４０から検索要求を送信する可能性が高いので、自装置の近くにユーザを検出した画像形成装置１０のみ識別情報を表示させれば足りる。
【００８２】
なお、本発明の実施の形態では、識別情報として装置名を採用するものとし、画像形成装置１０Ａの装置名をＭＦＰ１、画像形成装置１０Ｂの装置名をＭＦＰ２、画像形成装置１０Ｃの装置名をＭＦＰ３とする。識別情報は装置名以外のもの、たとえばＩＰアドレス、を採用してもよいが、画像形成装置１０と携帯端末４０が表示する識別情報は、対応関係を認識できるように、同種のものとする。
【００８３】
次に、画像形成装置１０の配置例と、携帯端末４０が検索要求を送信した場合に、各装置が表示する表示例について説明する。
【００８４】
図６は、３台の画像形成装置１０の配置例を示す。たとえば、３台の画像形成装置１０は、各装置が他の装置から離れるように配置される。
【００８５】
ユーザは、いずれの画像形成装置１０を使用するかを予め決めている場合、使用する画像形成装置１０の手前に移動し、その後、携帯端末４０に検索要求を送信させる。検索要求を受けた各画像形成装置１０は、ユーザ検出部２１（図２）によって、自装置から所定の範囲内（検出範囲７０と呼ぶ）におけるユーザの有無を判断する。
【００８６】
図６では、操作パネル３０の上縁中央に設置されている検出用カメラ（図中省略）で撮影可能であって、自装置から１メートル以内の範囲（図中の扇型の範囲）を検出範囲７０とする。
【００８７】
図６では、画像形成装置１０Ｃの検出範囲７０にユーザが位置しており、画像形成装置１０Ａと画像形成装置１０Ｂの検出範囲７０内にはユーザがいない。
【００８８】
図７は、図６に示す状態で検索要求を受けた各画像形成装置１０が表示部３１に表示する表示内容の例を示す。画像形成装置１０Ａ、画像形成装置１０Ｂは、自装置の検出範囲７０にユーザがいない（ユーザを検出しない）ので、表示部３１に識別情報の表示を行わない。たとえば、検索要求を受けた時点で表示している画面があれば、その画面が継続して表示される。
【００８９】
画像形成装置１０Ｃは、自装置の検出範囲７０にユーザを検出しているので、表示部３１に自装置の識別情報を表示する。
【００９０】
図８は、図６に示す状態で検索応答を受けた携帯端末４０が表示する画面の例を示す図である。携帯端末４０は、受信した検索応答の送信元となる画像形成装置１０（１０Ａ、１０Ｂ、１０Ｃ）の識別情報をリスト６０として表示する。図８では、画像形成装置１０は、検索応答に、携帯端末４０に表示させる識別情報（具体的には装置名やＩＰアドレス）とともに、ユーザ検出の結果を含ませる。
【００９１】
携帯端末４０は、検索応答に含まれているユーザ検出の結果を参照し、ユーザを検出した画像形成装置１０の識別情報を所定の表示形態で表示する。図８では、携帯端末４０は、ユーザを検出した画像形成装置１０の識別情報に、所定のマーク（図８では中抜き丸印）を付して表示する。ユーザを検出した画像形成装置１０の識別情報と、ユーザを検出しなかった画像形成装置１０の識別情報の表示形態が異なるので、ユーザは、携帯端末４０の表示部５１に表示されたリスト６０から、所望する実物の画像形成装置１０に対応する識別情報をより容易に発見することができる。
【００９２】
携帯端末４０における識別情報の表示、およびユーザ検出の結果に応じた識別情報の表示形態の変更は、画像形成装置１０が指示してもよいし、携帯端末４０のＣＰＵ４１が行ってもよい。
【００９３】
図８では、ユーザを検出した画像形成装置１０の識別情報の表示形態とユーザを検出しなかった画像形成装置１０の識別情報の表示形態を相違させる方法を、所定のマーク（図中では、中抜き丸印）の付加の有無としたが、識別情報の表示形態を相違させる方法はこれに限らない。たとえば、ユーザを検出しなかった画像形成装置１０の識別情報（図中、破線部分）を非表示にしたり、グレー表示や強調表示などを採用したりしてもよい。また、所定のマークは実施の形態で示したもの（中抜き丸印）に限らない。
【００９４】
図９は、検索要求を受けた画像形成装置１０が、自装置から所定の範囲内においてユーザを検出して識別情報の表示を行う場合に、表示部３１に表示される画面の一例を示す。図９では、それまで表示されていた画面（継続表示画面８０）の左下部分に、自装置に係る識別情報を示す情報群８１を重ねて表示している。
【００９５】
情報群８１には、装置名、ＩＰアドレスの他にも、自装置の情報として残りトナー量や、残り用紙数などの情報が併せて表示される。トナー残量や用紙の残枚数は、ユーザがこの画像形成装置１０を印刷データの送信先に選択するか否かの判断材料となる情報である。
【００９６】
図９では、検索要求を受ける前に表示していた画面の一部に、自装置の識別情報を重ねて表示していたが、識別情報のみを表示する専用の画面に遷移するようにしてもよい。
【００９７】
次に、印刷システム７が動作する場合の変形例について説明する。
【００９８】
＜変形例１＞
変形例１では、検索要求を受けた画像形成装置１０は、自装置から所定の範囲内にユーザを検出し、さらに、自装置が、携帯端末４０に検索要求の送信を指示したユーザが使用を望む装置（所望装置）であると判断した場合に、自装置の識別情報を表示部３１に表示する。
【００９９】
自装置がユーザの所望する装置でなければ、識別情報を表示しても携帯端末４０との間で通信を確立する可能性が低いので、識別情報の表示を行わない。これにより、無駄な電力消費を抑えることができる。
【０１００】
自装置が所望装置であるか否かの判断は、所望装置判断部７４（図３参照）が行う。該判断の方法は後述する。なお、該判断は、検索要求を受けた場合に必ず行ってもよいが、本発明の実施の形態では、自装置から所定の範囲内にユーザを検出した場合のみ行うものとする。
【０１０１】
図１０は、変形例１において、検索要求を受けた後に画像形成装置１０が表示する表示内容の例を示す。
【０１０２】
図１０では、画像形成装置１０Ａと画像形成装置１０Ｃが、自装置から所定の範囲内にいるユーザを検出している。また、図１０にて携帯端末４０を所持するユーザが所望する装置（所望装置）は画像形成装置１０Ｃとする。
【０１０３】
ユーザを検出した画像形成装置１０Ａと画像形成装置１０Ｃは、自装置が所望装置であるか否かを判定する。画像形成装置１０Ａは自装置が所望装置ではないと判断しており、識別情報を表示しない。画像形成装置１０Ｃは自装置が所望装置であると判断しており、識別情報を表示している。なお、画像形成装置１０Ｂは、自装置から所定の範囲内にてユーザを検出しなかったので、識別情報を表示しない。
【０１０４】
図１１は、図１０にて検索応答を受けた携帯端末４０が表示する画面の例を示す。携帯端末４０は、受信した検索応答の送信元となる画像形成装置１０（１０Ａ、１０Ｂ、１０Ｃ）の識別情報をリスト６０として表示する。画像形成装置１０は、携帯端末４０が表示する識別情報とともに、自装置が所望装置であるか否かの判断結果を検索応答に含ませる。
【０１０５】
図１１では、携帯端末４０は検索応答に含まれている前述の判断結果を参照し、自装置が所望装置であると判断した画像形成装置１０の識別情報を所定の表示形態で表示する。図１１では、携帯端末４０は、ユーザを検出した画像形成装置１０の識別情報に、所定のマーク（図１１では塗りつぶし丸印）を付して表示する。自装置が所望装置であると判断した画像形成装置１０の識別情報と、自装置が所望装置でないと判断した画像形成装置の識別情報の表示形態が異なるので、ユーザは、携帯端末４０の表示部５１に表示されたリスト６０から、所望する実物の画像形成装置１０に対応する識別情報をより容易に発見することができる。
【０１０６】
図１１では、自装置が所望装置であると判断した画像形成装置１０の識別情報の表示形態とそれ以外の画像形成装置１０の識別情報の表示形態を相違させる方法を、所定のマーク（図中では、塗りつぶし丸印）の付加の有無としたが、識別情報の表示形態を相違させる方法はこれに限らない。たとえば、他の画像形成装置１０（表示部３１にて識別情報の表示を行わない装置）の識別情報（図中、破線部分）を非表示にしたり、グレー表示や強調表示などを採用したりしてもよい。また、所定のマークは実施の形態で示したもの（塗りつぶし丸印）に限らない。
【０１０７】
次に、自装置が所望装置であるか否かを判断する方法について説明する。自装置が所望装置であるか否かを判断する方法としては、たとえば以下の３つの方法がある。
【０１０８】
＜方法１＞
方法１では、ユーザ検出部２１が、検索要求の送信を指示したユーザが備える所定の特徴を有するユーザを検出した場合に、自装置が所望装置であると判断する。所定の特徴は、たとえば以下の２つがある。
【０１０９】
（特徴１、自装置の方を向いていること）
特徴１は、自装置の方を向いていることである。自装置の方に向いているユーザを検出した場合、そのユーザは、自装置に着目しており、自装置を使いたいユーザであると推定される。自装置の方に向いていないユーザを検出した場合、そのユーザは、たとえば、通りすがりのユーザや背を向けて立ち話するユーザなど、自装置を使う意図がないユーザであると推定される。
【０１１０】
よって、ユーザ検出部２１が、自装置の方を向いているユーザを検出した場合は自装置が所望装置であると判断し、それ以外の方向を向いているユーザを検出した場合は自装置が所望装置でないと判断する。ユーザが向いている方向の判定は、たとえば、カメラで撮影して得た画像を解析する等によって行う。他の方法で該判定を行ってもよい。
【０１１１】
（特徴２、携帯端末４０を所持していること）
特徴２は携帯端末４０を所持していることである。自装置が所望装置であれば、携帯端末４０を所持しているユーザを検出することが想定されるので、携帯端末４０を所持しているユーザを検出した場合は、自装置が所望装置であると判断し、所持していない場合は自装置が所望装置でないと判断する。
【０１１２】
たとえば、カメラで撮影して得た画像を解析して、自装置の所定範囲内に居るユーザが携帯端末４０を所持しているか否かを判別する。ただし、携帯端末４０を所持しているか否かを判断する方法は前述の方法に限らない。ＧＰＳで携帯端末４０の位置を特定したり、携帯端末４０と自装置の間の距離を算出したりするなどの方法で、携帯端末４０が自装置の付近にあるか否かを判断し、携帯端末４０が自装置の付近にあると判断した場合に、ユーザ検出部２１が検出したユーザが携帯端末４０を所持していると推定してもよい。
【０１１３】
＜方法２＞
方法２では、携帯端末４０は、ユーザが画像形成装置１０に依頼する画像処理で使用予定の機能を示す情報を含む検索要求を送信する。該検索要求を受けた画像形成装置１０は、自装置が該検索要求に含まれる機能を、自装置にて実行可能か否かを判断する。そして、所望機能を実行可能な場合は自装置が所望装置であると判断し、該機能を実行不可能な場合は、自装置が所望装置でないと判断する。
【０１１４】
具体的には、たとえば、ユーザが、携帯端末４０のアプリにて印刷データを選択し、カラー、モノクロなどの印刷設定を行ってから、検索要求の送信を指示すると、該印刷設定の全部、または一部を含む検索要求が送信される。
【０１１５】
方法２では、たとえば、検索要求に含まれる機能を実行可能な機構を有しているか否かだけではなく、トナー切れや用紙切れ、後処理装置の故障など、検索要求を受けた時の装置状態を考慮して、自装置が該機能を実行可能か否かを判断するようにしてもよい。検索要求を受信した際のトナーや用紙の残量では、検索要求に含まれている印刷設定でのジョブを完遂できない場合（トナーや用紙が不足するなどの理由で）に、自装置が所望装置でないと判断するようにしてもよい。トナーや用紙の残量が一定以下の場合に、自装置が所望装置でないと判断するようにしてもよい。
【０１１６】
方法１と方法２での判断結果が異なる場合は、自装置が所望装置でないとの判断を優先する。たとえば、方法１にて自装置が所望装置であると判断した場合（携帯端末４０を所持しているユーザ、自装置の方を向いているユーザを検出した場合）であっても、方法２にて自装置が所望装置ではないと判断した場合（検索要求に含まれている機能が実行不可能と判断した場合）は、方法２での判断結果を優先する。
【０１１７】
方法２にて自装置が所望装置ではないと判断した場合に、識別情報の代わりに、検索要求に含まれている機能が実行不可能であることを自装置の表示部３１に表示するようにしてもよい。
【０１１８】
＜方法３＞
方法３では、自装置が使用中か否かによって、自装置が所望装置であるか否かを判断する。たとえば、検索要求を受ける所定時間前（たとえば１０秒前など）に操作パネル３０にて操作を受けている場合、自装置は携帯端末４０を所持するユーザ以外のユーザにより使用中であると判断する。その場合、携帯端末４０を所持するユーザが使用できないので、自装置は所望装置ではないと判断する。所定時間は他のユーザによって操作中であるか否かを判断可能な時間に適宜設定する。
【０１１９】
なお、検索要求を受けた際にジョブを実行中である場合も、他のユーザにより使用中であると判断してもよい。ただし、検索要求を受けてからジョブが一定時間以内（たとえば２０秒以内）に終了する場合は、自装置は所望装置であると判断するようにしてもよい。ジョブの実行中に他のジョブを予約可能であれば、検索要求を受けた際にジョブを実行中であっても自装置は所望装置であると判断するようにしてもよい。
【０１２０】
このように、自装置から所定範囲内にユーザを検出し、さらに所望装置であると判断した場合のみ識別情報を表示することにより、無駄な電力消費を防止する。また、検索要求を行ったユーザに使用されない画像形成装置１０にて無駄な識別情報の表示を行わないことで、該画像形成装置１０を使用中の（もしくはこれから使用する）他のユーザの操作を阻害するおそれを抑えることもできる。
【０１２１】
図１２は、検索要求を受けた場合に画像形成装置１０が行う処理を示すフローチャートである。画像形成装置１０は、ＣＰＵ１１が、ＲＯＭ１２又は外部記憶装置２３に記憶されたプログラムを実行することにより、図１２のフローチャートに示す処理を実現する。
【０１２２】
まず検索要求を受けるまで待って（ステップＳ１０１；Ｎｏ）、検索要求を受けたら（ステップＳ１０１；Ｙｅｓ）、自装置から所定の範囲内にユーザが居るか否かを判断する（ステップＳ１０２）。
【０１２３】
自装置から所定の範囲内にユーザを検出しなかった場合は（ステップＳ１０２；Ｎｏ）、表示中の内容を変更せずに（ステップＳ１０５）、ステップＳ１０７に進む。
【０１２４】
ユーザを検出した場合は（ステップＳ１０２；Ｙｅｓ）、自装置が所望装置であるか否かを判断するための処理（所望装置判断処理）を行う（ステップＳ１０３）。自装置が所望装置でないと判断した場合は（ステップＳ１０４；Ｎｏ）、表示中の内容を変更せずに（ステップＳ１０５）、ステップＳ１０７に進む。
【０１２５】
自装置が所望装置であると判断した場合は（ステップＳ１０４；Ｙｅｓ）、表示部３１に識別情報を表示させ（ステップＳ１０６）、その後、検索応答を検索要求の送信元へ送信し（ステップＳ１０７）、ステップＳ１０１に戻って処理を継続する。
【０１２６】
図１３は、図１２のステップＳ１０３の所望装置判断処理の詳細を示す。図１３の処理では、方法１〜３の全てを使用して自装置が所望装置であるか否かを判断する。
【０１２７】
まず、検索要求に含まれている情報に基づいて、ユーザが画像形成装置１０に依頼する画像処理で使用予定の機能を自装置にて実行可能か否かを判断する（ステップＳ２０１）（方法２）。ここでは、該機能を実行する為の機構の有無だけではなく、検索要求を受けた際の装置の状態が、該機能を実行可能な状態か否かを調べている。たとえば、画像形成装置１０にカラーコピーを依頼する予定であるが、カラートナーが不足している場合は、カラーコピーが実行不可能であると判断する。
【０１２８】
検索要求に含まれている情報の示す機能が実行不可能ならば（ステップＳ２０１；Ｎｏ）、ステップＳ２０５に進む。該機能を、自装置が実行可能ならば（ステップＳ２０１；Ｙｅｓ）、前述した方法で自装置が使用中であるか否かを調べる（ステップＳ２０２）（方法３）。自装置が使用中であれば（ステップＳ２０２；Ｎｏ）、ステップＳ２０５に進む。
【０１２９】
自装置が使用中であれば（ステップＳ２０２；Ｙｅｓ）、図１２のステップＳ１０２で検出したユーザが、検索要求の送信を指示したユーザが備える所定の特徴を有するか否かを調べる（ステップＳ２０３）（方法１）。具体的には、前述したようにユーザが自装置の方に向いていること、携帯端末４０を所持していること、などの特徴を有しているか否かを判断する。
【０１３０】
検索要求の送信を指示したユーザが備える所定の特徴を有すると判断した場合は（ステップＳ２０３；Ｙｅｓ）、自装置が所望装置であると判断し（ステップＳ２０４）、本処理を終了する。検索要求の送信を指示したユーザが備える所定の特徴がないと判断した場合は（ステップＳ２０３；Ｎｏ）、自装置が所望装置ではないと判断し（ステップＳ２０５）、本処理を終了する。
【０１３１】
このように、印刷システム７では、検索要求を受けた画像形成装置１０が、自装置と通信を確立するために使用する識別情報を表示する。これにより、携帯端末４０を所持するユーザは、この識別情報を参照して、該携帯端末４０と画像形成装置１０との間の通信を確立させることができる。
【０１３２】
また、検索要求を受けた際に自装置から所定の範囲内にユーザを検出した画像形成装置１０のみ識別情報を表示する。これにより、ユーザに使用される可能性の低い識別情報を表示しないので、印刷システム７全体での消費電力を抑えることができる。
【０１３３】
また、画像形成装置１０は、自装置がユーザの所望装置であるか否かを判断し、所望装置でないと判断した場合のみ識別情報の表示を行う。付近のユーザの有無だけではなく所望装置か否かの判断に基づいて識別情報の表示を行うか否かを判断するので、付近のユーザの有無のみに基づいて識別情報の表示を行うか否かを判断する場合に比べて、識別情報を表示する画像形成装置１０がより少ない台数に限定され、印刷システム７全体での消費電力をより抑えることができる。なお、検索要求を行ったユーザに使用されない画像形成装置１０にまで識別情報の表示を行うと、その画像形成装置１０を使おうとしている他のユーザの操作を阻害するおそれがあるところ、所望装置である可能性の低い画像形成装置１０にて無駄な識別情報の表示を行わないことで、他のユーザの操作を阻害するおそれを抑えることもできる。
【０１３４】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３５】
本発明の実施の形態では、図６では、検出範囲７０は、画像形成装置１０の正面前方の扇型の範囲としていたが、検出用カメラを複数台設けるなどにより画像形成装置１０の周囲３６０度を検出範囲７０としてもよい。たとえば、オフィスの中央に画像形成装置１０が設置されている場合などに有効である。
【０１３６】
本発明の実施の形態では、携帯端末４０と画像形成装置１０間にて、検索要求と検索応答が直接送受信されていたが、サーバなどの他の外部装置を設け、該サーバを経由して該送受信を行うようにしてもよい。
【０１３７】
本発明の実施の形態では、印刷システム７における画像形成装置１０を画像処理装置の例として説明したが、画像処理装置はこれに限らない。画像形成装置１０から制御部１１と、不揮発メモリ１４と、ネットワーク通信部２０と、画像データ処理部１６を抜き出して構成される画像処理装置であってもよい。すなわち、本発明の画像処理装置は、画像形成装置１０のようなＭＦＰに限らず、単体のプリンタなどであってもよい。また、本発明は、前述の画像処理装置や、情報処理装置を実施の形態のように動作させるプログラムであってもよい。
【０１３８】
また、画像処理装置に対して、実施の形態での画像形成装置１０のように動作するよう指示するサーバを制御するプログラムも本発明とする。図１４は、該プログラムが動作を制御する制御サーバ１００を加えた場合の印刷システム７を示す。該プログラムにより、制御サーバ１００は以下のように動作する。
【０１３９】
制御サーバ１００は、携帯端末４０から検索要求を受けた場合に、画像形成装置１０のそれぞれについて、当該画像形成装置１０と携帯端末４０との通信を確立する操作のために使用される該画像形成装置１０の識別情報を、該画像処理装置のユーザ検出部２１がユーザを検出していれば、該画像形成装置１０の表示部３１に表示させる表示指示を送信する。
【０１４０】
該表示指示には、該表示指示を受信した画像形成装置１０が表示する識別情報、および、該画像形成装置１０にてユーザ検出部２１が行ったユーザ検出の結果を含む検索応答を制御サーバ１００に返送する指示が含まれる。該表示指示を受信した画像形成装置１０は、該表示指示を受信した際に自装置のユーザ検出部２１にて自装置から所定の範囲内におけるユーザの有無を検出し、ユーザを検出した場合は、自装置の識別情報を自装置の表示部３１に表示すると共に、該識別情報及び該ユーザ検出の結果を含む検索応答を制御サーバ１００に送信する。なお、ユーザを検出しなかった場合は、識別情報を表示せずに、該識別情報及びユーザ検出の結果を含む検索応答を制御サーバ１００に送信する。
【０１４１】
携帯端末４０から検索要求を受信した制御サーバ１００は、前述の手順で画像形成装置１０から検索応答を取得し、該検索応答に含まれる識別情報、ユーザ検出の結果を携帯端末４０に送信する。携帯端末４０で表示する識別情報のリスト（画面）は、制御サーバ１００で作成してから携帯端末４０に送信してもよいし、制御サーバ１００は識別情報のみを送信し、携帯端末４０側で識別情報のリスト（画面）を作成するようにしてもよい。リストを制御サーバ１００で作成する場合は、ユーザ検出の結果は携帯端末４０に送信する必要はなく、該結果に応じて識別情報の表示形態を変更したリストを作成して携帯端末４０に提供すればよい。一方、リストを携帯端末４０が作成する場合は、制御サーバ１００から識別情報と共にユーザ検出の結果を携帯端末４０に送信し、これを受信した携帯端末４０は、該結果に応じて識別情報の表示形態を変更したリストを作成して表示する。
【０１４２】
なお、画像形成装置１０のユーザ検出部２１は、携帯端末４０にて検索要求の送信を指示したユーザが備える所定の特徴を有するユーザを検出するようにしてもよい。所定の特徴は、たとえば、携帯端末を所持していることや、自装置の方を向いているユーザであることなどが挙げられる。
【０１４３】
画像形成装置１０のユーザ検出部２１は、携帯端末４０（検索要求の送信元の装置）との間の電波強度に基づいて、自装置から所定の範囲内にユーザが居るか否かを判断してもよい。
【０１４４】
制御サーバ１００は、受信した検索要求に、画像形成装置１０に依頼する画像処理で使用予定の機能を示す機能情報が含まれている場合は、各画像形成装置１０に、当該画像処理装置が該機能情報の示す機能を実行できなければ前記識別情報の表示を禁止させる制御を行う。制御サーバ１００は、前述した表示指示に、該機能情報と、該機能情報の示す機能を実行できなければ前記識別情報の表示を禁止させる指示を含めて送信する。画像形成装置１０が、該機能情報の示す機能を実行できなければ該識別情報の表示を禁止するよう設定されている場合は、制御サーバ１００は、前述した表示指示に、該機能情報のみを付与して送信する。
【０１４５】
このように、携帯端末４０から検索要求を受けた制御サーバ１００が、画像形成装置１０の代わりに、該画像形成装置１０での識別情報の表示を制御することで、ユーザは、所望する画像形成装置１０の識別情報を得ることができる。また、該識別情報を使用して、携帯端末４０と画像形成装置１０との間の通信を確立させることができる。また、ユーザを検出した、もしくは自装置が所望装置であると判断した、などの条件を満たす装置のみ識別情報を表示させるので、無駄な電力消費を抑えることができる。
【０１４６】
なお、本発明の実施の形態では、検索応答を受けて携帯端末４０が表示した識別情報（装置名）の一覧から、ユーザが選択した識別情報の画像形成装置１０と通信を確立するものとしていたが、検索要求を受けた場合に画像形成装置１０が表示部３１に自装置のＩＰアドレスを表示し、ユーザがこれを参照して、携帯端末４０にて手入力で通信先を設定するようにしてもよい。
【０１４７】
本発明の実施の形態では、方法１〜３にて自装置が所望装置であるか否かを判断していたが、他の方法にて判断してもよい。また、本発明の実施の形態では、方法１〜３を全て使用していたが、方法１〜３からいずれか１つ、もしくは任意の方法を組み合わせて採用してもよい。たとえば、方法２および方法３を組み合わせると、画像形成装置１０は、自装置が、検索要求に含まれる情報の示す機能を実行可能であって、自装置が使用中でない場合に自装置が所望装置であると判断する。
【０１４８】
なお、本発明の実施の形態では、方法１〜３のうち、少なくともいずれか１つの方法にて所望装置ではないと判断された場合は、自装置は所望装置ではないと判断していたが、方法１〜３のうち少なくともいずれか１つの方法にて自装置は所望装置であるとの判断した場合に、自装置は所望装置であると判断するようにしてもよい。
【０１４９】
ネットワークはＬＡＮ等に限定されない。たとえば、Bluetoothのような近距離無線通信においてその通信範囲内を本発明のネットワークとしてもよい。すなわち、携帯端末４０は、通信可能範囲にある対応機器（画像形成装置１０）を検索するための検索要求をブロードキャストし、これを受信した画像形成装置１０は送信元に対して検索応答を返送しかつ自装置の表示部３１に識別情報を表示する、といった構成も本発明に含まれる。
【符号の説明】
【０１５０】
３…ＬＡＮ
７…印刷システム
１０…画像形成装置
１１…ＣＰＵ
１２…ＲＯＭ
１３…ＲＡＭ
１４…不揮発メモリ
１５…ＤＫＣ
１６…画像処理部
１７…読取インターフェース
１８…印刷インターフェース
１９…無線ＬＡＮコントローラ
２０…ＬＡＮコントローラ
２１…ユーザ検出部
２２…プリントエンジン
２３…外部記憶装置
２４…スキャナ
３０…操作パネル
３１…表示部
３２…操作部
３３…スイッチ部
３４…タッチパネル部
４０…携帯端末
４１…ＣＰＵ
４２…ＲＯＭ
４３…ＲＡＭ
４４…不揮発メモリ
４５…ハードディスク装置
４６…ネットワーク通信部
５０…操作表示部
５１…表示部
５２…操作部
５３…スイッチ部
５４…タッチパネル部
６０…リスト
７０…検出範囲
７１…検索要求処理部
７２…ユーザ検出制御部
７３…印刷部
７４…所望装置判断部
８０…継続表示画面
８１…情報群
９０…アクセスポイント
１００…制御サーバ
【図１】
0006459466.tif 000002
【図２】
0006459466.tif 000003
【図３】
0006459466.tif 000004
【図４】
0006459466.tif 000005
【図５】
0006459466.tif 000006
【図６】
0006459466.tif 000007
【図７】
0006459466.tif 000008
【図８】
0006459466.tif 000009
【図９】
0006459466.tif 000010
【図１０】
0006459466.tif 000011
【図１１】
0006459466.tif 000012
【図１２】
0006459466.tif 000013
【図１３】
0006459466.tif 000014
【図１４】
0006459466.tif 000015